(57)【要約】【課題】簡易な構成で、シールド機能を向上させることを可能とする。【解決手段】ケーブル中心導体（信号線）ＳＣａ及びケーブル外部導体（シールド線）ＳＣｂを接続した第１のコネクタ１と、印刷配線基板ＳＢに接続した第２のコネクタ２とを嵌合させたときに、互いに接触するグランド導電端子１３，２３を介して前記ケーブル外部導体（シールド線）ＳＣｂを前記印刷配線基板ＳＢ側に接続させることにより、ケーブル外部導体（シールド線）ＳＣｂが、従来の導電性シェル１４，２４に加えて両コネクタ１，２のグランド導電端子１３，２３を介して印刷配線基板ＳＢ側に接続され、グランド回路を構成する部材が、従来の導電性シェル１４，２４のみからグランド導電端子１３，２３を加えたものとなって、その分、グランド回路の抵抗値が低減されてシールド機能の向上が図られるように構成したもの。【選択図】図１０
2008147020.tif 000002
【特許請求の範囲】
【請求項１】
信号線及びシールド線が接続される第１のコネクタと、印刷配線基板に接続される第２のコネクタとが嵌合可能となるように構成されたものであって、
それら第１及び第２のコネクタには、これら両コネクタどうしが嵌合されたときに前記信号線及びシールド線を前記印刷配線基板側に接続する信号導電端子及び導電性シェルが設けられた電気コネクタにおいて、
前記第１及び第２のコネクタには、これら両コネクタどうしが嵌合されたときに互いに接触して前記シールド線を前記印刷配線基板側に接続するグランド導電端子がそれぞれ設けられていることを特徴とする電気コネクタ。
【請求項２】
前記信号線及びシールド線が、同軸ケーブルとして構成され、その同軸ケーブルが多極配列されているとともに、
前記同軸ケーブルのシールド線を対向する両側から挟み込む一対のグランド部材が前記多極配列の方向に沿って延在するように配置され、
これら一対のグランド部材の一方が前記第１のコネクタのグランド導電端子に接続されるとともに、他方のグランド部材が前記第２のコネクタの導電性シェルに接続されるように配置されていることを特徴とする請求項１記載の電気コネクタ。
【請求項３】
前記導電性シェル及びグランド部材が、前記第１及び第２のコネクタどうしが嵌合されたときに前記信号線を含む信号回路を覆うように配置されていることを特徴とする請求項２記載の電気コネクタ。
【請求項４】
前記第１のコネクタの導電性シェルが、前記信号線が接続される側とは反対側の部位を覆うように配置されているとともに、
前記第１又は第２のコネクタの導電性シェルには、前記第１及び第２のコネクタどうしを嵌合させたときに互いに圧接し合う突起部が設けられていることを特徴とする請求項１記載の電気コネクタ。
【請求項５】
前記第２のコネクタのグランド導電端子は、当該第２のコネクタの導電性シェルと一体的に形成されていることを特徴とする請求項１記載の電気コネクタ。
【請求項６】
前記第1のコネクタの信号導電端子とグランド導電端子とが、略同一の形状又は略同一の材質から形成されていることを特徴とする請求項１記載の電気コネクタ。
【請求項７】
前記第２のコネクタの信号導電端子とグランド導電端子とが、略同一の形状又は略同一の材質から形成されていることを特徴とする請求項１記載の電気コネクタ。
【請求項８】
前記第２のコネクタの導電性シェルには、前記第１及び第２のコネクタどうしが嵌合されたときに、前記第１のコネクタのグランド導電端子が接触する接触部が設けられていることを特徴とする請求項１記載の電気コネクタ。
【請求項９】
前記第１及び第２のコネクタが、前記印刷配線基板の平面に対して略直交する方向に嵌合される垂直嵌合型コネクタとして構成されていることを特徴とする請求項１記載の電気コネクタ。
【請求項１０】
信号線及びシールド線が接続される第１のコネクタと、印刷配線基板に接続される第２のコネクタとが嵌合可能となるように構成されたものであって、
それら第１及び第２のコネクタには、これら両コネクタどうしが嵌合されたときに前記信号線及びシールド線を前記印刷配線基板側に接続する信号導電端子及び導電性シェルが設けられた電気コネクタの組立体において、
前記第１及び第２のコネクタには、これら両コネクタどうしが嵌合されたときに互いに接触して前記シールド線を前記印刷配線基板側に接続するグランド導電端子がそれぞれ設けられていることを特徴とする電気コネクタの組立体。
【請求項１１】
信号線及びシールド線を接続した第１のコネクタと、印刷配線基板に接続した第２のコネクタとを嵌合可能に構成しておき、
前記第１及び第２のコネクタどうしを嵌合させることによって、信号導電端子及び導電性シェルを介して前記信号線及びシールド線を前記印刷配線基板側に接続させるようにした電気コネクタの組立方法において、
前記第１及び第２のコネクタどうしを嵌合させたときに互いに接触するグランド導電端子を介して前記シールド線を前記印刷配線基板側に接続させるようにしたことを特徴とする電気コネクタの組立方法。
【発明の詳細な説明】
【技術分野】
【０００１】
本発明は、第１及び第２のコネクタどうしを嵌合させて信号線及びシールド線を印刷配線基板側に接続するように構成された電気コネクタ及びその組立体、並びに電気コネクタの組立方法に関する。
【背景技術】
【０００２】
一般に、種々の電気機器において、電気コネクタの嵌合によって信号線及びシールド線を印刷配線基板側に接続させることが広く行われている。例えば、下記の特許文献１においては、同軸ケーブルの信号線（中心導体）及びシールド線（外部導体）が、プラグコネクタ等からなる第１のコネクタ側に接続されているとともに、印刷配線基板上にリセプタクルコネクタ等からなる第２のコネクタが接続・固定されており、上述した第１のコネクタ（プラグコネクタ）が第２のコネクタ（リセプタクルコネクタ）に対して上方側から嵌合されることによって、同軸ケーブルの信号線及びシールド線が印刷配線基板側の導電路に対して電気的に接続されるようになっている。
【０００３】
このように用いられる電気コネクタでは、電磁波障害（ＥＭＩ）や静電気（ＥＳＤ）に対するシールド機能を有するグランド回路が形成される構成になされている。すなわち、上述した同軸ケーブルのシールド線（外部導体）には、適宜のグランド部材（グランドプレート）が半田接合されているとともに、そのグランド部材の表面に、前記第１のコネクタ（プラグコネクタ）を覆う導電性シェルの板バネ状接続片が圧接されている。さらに、その第１のコネクタの導電性シェルには、第２のコネクタ（リセプタクルコネクタ）側の導電性シェルの一部が接触されており、当該第２のコネクタ側の導電性シェルが、印刷配線基板上に形成されたグランド導電路（グランドパターン）に半田接合されることによってグランド回路が構成されている。
【０００４】
しかしながら、このような構造を備えた従来の電気コネクタでは、上述したグランド回路、すなわち、同軸ケーブルのシールド線（外部導体）から印刷配線基板のグランド導電路（グランドパターン）に至るまでの回路が、グランド部材と導電性シェルとの接触によってのみ構成されているため、特にコネクタ全体の低背化及び小型化にともなって、当該グランド回路の抵抗値が増大する傾向となっており、電磁波障害（ＥＭＩ）や静電気（ＥＳＤ）に対するシールド機能の低下が危惧されている。
【０００５】
【特許文献１】特開２００４−２５９６７２号公報
【発明の開示】
【発明が解決しようとする課題】
【０００６】
そこで本発明は、簡易な構成で、シールド機能を向上させることができるようにした電気コネクタ及びその組立体、並びに電気コネクタの組立方法を提供することを目的とする。
【課題を解決するための手段】
【０００７】
上記目的を達成するため本発明は、信号線及びシールド線を接続した第１のコネクタと、印刷配線基板に接続した第２のコネクタとを嵌合可能に構成しておき、それら第１及び第２のコネクタどうしを嵌合させることによって、信号導電端子及び導電性シェルを介して前記信号線及びシールド線を印刷配線基板側に接続させるようにしたものであって、前記第１及び第２のコネクタどうしを嵌合させたときに互いに接触するグランド導電端子を介して前記シールド線を前記印刷配線基板側に接続させる構成を備えている。
【０００８】
このような構成を有する本発明によれば、シールド線が、従来の導電性シェルに加えて両コネクタのグランド導電端子を介して印刷基板側に接続されるため、グランド回路を構成する部材が、従来のように導電性シェルのみとなっている状態からグランド導電端子を加えた状態となり、そのグランド導電端子を加えた分だけ、グランド回路の抵抗値が低減されてシールド機能の向上が図られるようになっている。
【０００９】
また、本発明では、前記信号線及びシールド線が同軸ケーブルとして構成され、その同軸ケーブルが多極配列されているとともに、前記同軸ケーブルのシールド線を対向する両側から挟み込む一対のグランド部材が前記多極配列の方向に沿って延在するように配置され、これら一対のグランド部材の一方が前記第１のコネクタのグランド導電端子に接続されるとともに、他方のグランド部材が前記第２のコネクタの導電性シェルに接続されるように配置されてもよい。
【００１０】
さらに、本発明では、前記導電性シェル及びグランド部材が前記第１及び第２のコネクタどうしが嵌合されたときに前記信号線を含む信号回路を覆うように配置され、また前記第１のコネクタの導電性シェルが前記信号線が接続される側とは反対側の部位を覆うように配置されているとともに、前記第１又は第２のコネクタの導電性シェルには、第１及び第２のコネクタを嵌合させたときに互いに圧接し合う突起部が設けられてもよい。
【００１１】
このような構成を有する本発明によれば、信号線を含む信号回路に対する遮蔽作用をグランド部材及び導電性シェルにより行うことが可能となるとともに、グランド回路における接続箇所が増大されることとなって、上述したシールド機能が更に向上されるようになっている。
【００１２】
さらに、本発明では、前記第２のコネクタのグランド導電端子は、当該第２のコネクタの導電性シェルと一体的に形成されてもよい。
【００１３】
このような構成を有する本発明によれば、上述したシールド機能の向上に加えて、グランド導電端子と導電性シェルとの接続が容易かつ良好に行われることから、印刷配線基板上のグランド導電路（グランドパターン）を含むグランド回路が良好に形成されるようになっている。
【００１４】
さらにまた、本発明では、前記第１のコネクタの信号導電端子とグランド導電端子とが略同一の形状又は略同一の材質から形成されてもよい。さらにまた、本発明では、前記第２のコネクタの信号導電端子とグランド導電端子とが、略同一の形状又は略同一の材質から形成されてもよい。
【００１５】
このような構成を有する本発明によれば、上述したシールド機能の向上に加えて、信号導電端子とグランド導電端子とを区別して取り扱う必要がなくなるため、組立効率及び部品管理が向上されるようになっている。
【００１６】
さらにまた、本発明では、前記第２のコネクタの導電性シェルに、前記第１及び第２のコネクタどうしが嵌合されたときに、前記第１のコネクタのグランド導電端子が接触する接触部が設けられてもよい。
【００１７】
このような構成を有する本発明によれば、グランド回路における接続箇所が増大されることとなって、グランド回路の抵抗値が更に低減されることにより上述したシールド機能が更に向上されるようになっている。
【発明の効果】
【００１８】
以上述べたように本発明は、第１及び第２のコネクタどうしを嵌合させることにより、信号導電端子及び導電性シェルを介して信号線及びシールド線を印刷配線基板側に接続させるとともに、上記シールド線を、従来の導電性シェルに加えて両コネクタのグランド導電端子を介して印刷基板側に接続させることによって、グランド回路を構成する部材を、従来のように導電性シェルのみとなっている状態からグランド導電端子を加えた状態とし、そのグランド導電端子を加えた分だけグランド回路の抵抗値を低減させてシールド機能の向上を図るように構成したものであるから、簡易な構成で、シールド機能を向上させることができ、電気コネクタの信頼性を低廉かつ大幅に高めることができる。
【発明を実施するための最良の形態】
【００１９】
以下、複数本の同軸ケーブルを印刷配線基板側に接続する電気コネクタに本発明を適用した場合の実施形態に関する説明を図面に基づいて詳細に行う。
【００２０】
まず、図１乃至図３に示された電気コネクタの組立体は、同軸ケーブルＳＣの端末部分が連結されたプラグコネクタ（第１のコネクタ）１と、印刷配線基板ＳＢ上に実装されたリセプタクルコネクタ（第２のコネクタ）２とからなる垂直嵌合型コネクタを構成するものであって、リセプタクルコネクタ２の直上に配置されたプラグコネクタ１が、印刷配線基板ＳＢと略直交する図１の下方側に下降されることによって、前記リセプタクルコネクタ２の嵌合部に対してプラグコネクタ１の嵌合部が差し込まれ、それらの両コネクタ１，２どうしの嵌合が行われるようになっている。以下、プラグコネクタ１を差し込む方向を下方向とし、それとは反対の抜き出す方向を上方向とする。
【００２１】
上述したプラグコネクタ１の長手側両端縁部の一方側（図１の手前側）には、多極状に並列するように配列された複数本の同軸ケーブルＳＣの端末部分が連結されているが、以下においては、その同軸ケーブルＳＣの端末部分が連結される側の端縁部を後端縁部と呼び、それとは反対側の他端縁部を前端縁部と呼ぶこととする。さらに、それらプラグコネクタ１の後端縁部及び前端縁部に対応するリセプタクルコネクタ２の各端縁部についても同様に後端縁部及び前端縁部と呼ぶこととし、また、それらの後端縁部及び前端縁部に向かう方向を後方及び前方とする。
【００２２】
そして、上述した同軸ケーブルＳＣの端末部分においては、図４乃至図１１にも示されているように、被覆材が皮剥きされることによってケーブル中心導体（信号線）ＳＣａ及びケーブル外部導体（シールド線）ＳＣｂが同軸状をなすように露出されており、当該同軸ケーブルＳＣの中心軸線に沿うようにして配置されたケーブル中心導体ＳＣａが、後述するプラグコネクタ１の各信号導電端子（シグナルコンタクト）のそれぞれに接続されることによって信号回路が構成されるようになっている。
【００２３】
また、上記ケーブル中心導体ＳＣａの外周側を取り囲むように配置されたケーブル外部導体ＳＣｂは、特に図４及び図５に示されているように、グランド部材を構成している上部グランドバーＧＵと下部グランドバーＧＤとの間において上下に挟持されるように配置されており、半田付けやカシメや圧接等により接続されることによりグランド回路が構成されるようになっている。
【００２４】
そのうちの上部グランドバーＧＵは、多極配列方向に沿って長尺状に延在する細長の帯板状部材から形成されたものであって、上述した多極配列された同軸ケーブルＳＣのケーブル外部導体（シールド線）ＳＣｂの上面側に沿うように載置された状態で長尺状の半田材を用いて一括接続されている。このような長尺状の上部グランドバーＧＵには、その長手方向の略中央部分にグランド接続舌片ＧＵａが前方側に向かって突出するように設けられている。このグランド接続舌片ＧＵａは、当該上部グランドバーＧＵの前端縁部から階段状をなして下降するように形成されており、当該グランド接続舌片ＧＵａの先端部分が、後述する一対のグランド導電端子側に圧接される配置関係になされている。なお、本実施形態においては、前記グランド接続舌片ＧＵａが前記上部グランドバーＧＵの長手方向の略中央部分に設けられているが、後述するグランド導電端子側に圧接される配置関係になっていれば、両端部分等に単数又は複数設けることが可能であり、中央部分に単数設けられることに限定されない。
【００２５】
また、他方の下部グランドバーＧＤは、前記同軸ケーブルＳＣにおけるケーブル外部導体（シールド線）ＳＣｂの下面側に接触するように配置され、その状態で一括半田接合されている。この下部グランドバーＧＤは、上述した上部グランドバーＧＵと同様に、多極配列方向に沿って長尺状に延在する板状部材からなるものであるが、次に説明する後端グランド接続板ＧＤａが、長手方向に適宜の間隔をなすようにして複数体のものが配置されている。
【００２６】
すなわち、前記下部グランドバーＧＤの後端縁部には、そこから下方に向かって略直角に折り曲げ形成された複数体（本実施形態では８体）の後端グランド接続板ＧＤａが横断面略Ｌ字状をなすようにして設けられているとともに、長手方向に近接して隣り合うように配置された一対の後端グランド接続板ＧＤａ，ＧＤａどうしの間には、後述する絶縁ハウジング１１に係止される係止片ＧＤｄがそれぞれ設けられている。そして、それらの各後端グランド接続板ＧＤａの前方側には、グランド接点凹部ＧＤｂがそれぞれ形成されており（図８及び図９参照）、プラグコネクタ１がリセプタクルコネクタ２に嵌合されたときに、それらの各グランド接点凹部ＧＤｂに対して、後述するリセプタクルコネクタ２の導電性シェルの一部が接触されるようになっている。
【００２７】
さらに、それら複数体の後端グランド接続板ＧＤａが並列された長手方向の略中央位置には、上方に向かって折り曲げ形成された一対の仕切ガイド板ＧＤｃが前後方向に互いに対向するように設けられているとともに、前記長手方向の両端位置の各々には、端部ガイド板ＧＤｅが前後方向に互いに対向するように設けられている。これらの仕切ガイド板ＧＤｃ及びガイド板ＧＤｅは、同軸ケーブルＳＣと下部グランドバーＧＤとが接続されるときに、同軸ケーブルＳＣが長手方向において位置ずれすることを防止しており、前記両仕切ガイド板ＧＤｃによって、上述した複数体の同軸ケーブルＳＣが長手方向において左右両側に区分されて配置される構成になされている。なお、仕切ガイド板ＧＤｃは、前記長手方向の略中央位置に設けられることに限定されず、前記グランド接続舌片ＧＵａに対応する位置に設けられる。
【００２８】
一方、上述したプラグコネクタ（第１のコネクタ）１及びリセプタクルコネクタ（第２のコネクタ）２は、細長板状をなす絶縁ハウジング１１，２１をそれぞれ備えており、それらの絶縁ハウジング１１，２１の内部には、特に図９及び図１０に示されているように、長手方向に沿って多数の信号導電端子（シグナルコンタクト）１２，２２が適宜のピッチ間隔で多極配列されている。また、それら多数の信号導電端子１２，２２の多極配列方向の略中央部分には、一対のグランド導電端子（グランドコンタクト）１３，１３及び２３，２３が配置されている。なお、該グランド導電端子１３，２３は、１つ，又は，３つ以上設けてもよい。また、グランド導電端子１３，２３は、前記絶縁ハウジング１１，２１の長手方向の略中央部分に配置されているが、長手方向の両端部分に配置される等、中央部分に配置されることに限定されない。
【００２９】
これら複数体の信号導電端子１２，２２及びグランド導電端子１３，２３は、それぞれ信号回路及びグランド回路を構成するものであるが、信号導電端子１２とグランド導電端子１３とが略同一の材質によって略同一の形状をなすように形成され、また信号導電端子２２とグランド導電端子２３とが、略同一の材質によって略同一の形状をなすように形成されている。そして、信号導電端子１２とグランド導電端子１３は、上記絶縁ハウジング１１に対してインサート成形によって埋設された状態にて配置され，信号導電端子２２とグランド導電端子２３は、上記絶縁ハウジング２１に対して圧入された状態にて配置されている。
【００３０】
すなわち、まず上記プラグコネクタ（第１のコネクタ）１側の信号導電端子（シグナルコンタクト）１２は、前記絶縁ハウジング１１の前端縁部分に延在する前方平坦部１２ａを備えているとともに、その前方平坦部１２ａから後方側の下方に向かって略Ｕ字状をなして延出する後方折曲部１２ｂが設けられている。そして、その信号導電端子１２の前方平坦部１２ａに対しては、上述した同軸ケーブルＳＣのケーブル中心導体ＳＣａが上方側から当接されて半田接合されている。それら複数体の各ケーブル中心導体ＳＣａと信号導電端子１２の半田接合は一括的に行われる。
【００３１】
また、上述した信号導電端子（シグナルコンタクト）１２における後方折曲部１２ｂの前端側壁面には信号接点部１２ｃが設けられており、プラグコネクタ１がリセプタクルコネクタ２に嵌合されたときに、その信号接点部１２ｃに対して、後述するリセプタクルコネクタ２の信号導電端子２２の後端側壁面に設けられた信号接点凸部２２ｃが接続され、それにより信号回路が構成されるようになっている。
【００３２】
さらに、上記プラグコネクタ（第１のコネクタ）１の長手方向における略中央部分に配置された一対のグランド導電端子（グランドコンタクト）１３は、上述した信号導電端子（シグナルコンタクト）１２と同様に、前記絶縁ハウジング１１の前端縁部から後方側に向かって延在するように形成された前方平坦部１３ａを備えているとともに、その前方平坦部１３ａから後方側の下方に向かって略Ｕ字状をなすようにして延出する後方折曲部１３ｂが設けられている。
【００３３】
そして、上述したグランド導電端子１３の前方平坦部１３ａに対しては、前述した上部グランドバーＧＵのグランド接続舌片ＧＵａが上方側から圧接するようにして半田接合される一方、上述した後方折曲部１３ｂの前端側壁面にはグランド接点部１３ｃが形成されており、そのグランド接点部１３ｃに対して、後述するリセプタクルコネクタ（第２のコネクタ）２のグランド導電端子２３の後端側壁面に設けられたグランド接点凸部２３ｃが接触される構成になされている。また、このグランド導電端子の後方折曲部１３ｂの後端側壁面には、プラグコネクタ１がリセプタクルコネクタ２に嵌合されたときに、後述する導電性シェル２４の一部が接触されるようになっている。
【００３４】
このようなプラグコネクタ（第１のコネクタ）１に対して、リセプタクルコネクタ（第２のコネクタ）２に配置された信号導電端子（シグナルコンタクト）２２は、前記絶縁ハウジング２１の前端縁部から後方側に向かって略Ｓ状をなすように形成されており、その最前端部分に複数体の前方半田接合部２２ａが平坦状をなして延在するように設けられている。これらの各前方半田接合部２２ａは、前記印刷配線基板ＳＢ上の信号導電路（図示省略）に対して半田接合にて電気的な接続が行われており、それによって信号回路が構成されるようになっている。
【００３５】
また、この信号導電端子（シグナルコンタクト）２２は、上記前方半田接合部２２ａから後方側上方に向かって立ち上げられた後に一旦下降されて再び立ち上げられた後端立壁部２２ｂを有しており、その後端立壁部２２ｂの上端部分に後方側に向かって略「く」の字状をなすように突出する信号接点凸部２２ｃが設けられている。この信号導電端子２２における信号接点凸部２２ｃは、プラグコネクタ１がリセプタクルコネクタ２に嵌合されたときに、上述したプラグコネクタ１側の信号接点部１２ｃに対してバネ弾性的に圧接された状態で接続され、それにより信号回路が構成されるようになっている。
【００３６】
さらに、このリセプタクルコネクタ（第２のコネクタ）２の長手方向における略中央部分に配置された一対のグランド導電端子（グランドコンタクト）２３は、後述する導電性シェル２４と一体的に形成されているが、その導電性シェル２４の前端縁部から後方側に向かって略Ｓ状をなすように形成されている部位のうちの後方側部分が、上述した信号導電端子（シグナルコンタクト）２２と同様な形状になされている。
【００３７】
このグランド導電端子２３の最前端部分には平坦状をなすようにして延在する前方半田接合部２３ａが設けられており、それらの各前方半田接合部２３ａが、前記印刷配線基板ＳＢ上のグランド導電路（図示省略）に対して半田接合され、それによってグランド回路の電気的な接続が行われるとともに、リセプタクルコネクタ２の全体が強固に固定されるようになっている。
【００３８】
さらに、上記前方半田接合部２３ａから後方側上方に向かって立ち上げられた後に一旦下降されて再び立ち上げられた後端立壁部２３ｂには、後方側に向かって略「く」の字状をなすようにして突出するグランド接点凸部２３ｃが設けられている。このグランド導電端子２３のグランド接点凸部２３ｃは、プラグコネクタ１がリセプタクルコネクタ２に嵌合されたときに、上述したようにプラグコネクタ（第１のコネクタ）１側のグランド導電端子１３のグランド接点部１３ｃに対してバネ弾性的に圧接された状態で接続されるようになっている。
【００３９】
また、上述したグランド導電端子２３の前方半田接合部２３ａから後方側上方に向かってやや立ち上げられた部位、すなわち後述する導電性シェル２４の一部をなす部位には、前方側に向かって突出する接続突起片２３ｄが形成されており、プラグコネクタ１がリセプタクルコネクタ２に嵌合されたときに、その接続突起片２３ｄに対して、後述する導電性シェル１４側に設けられた接続突起片１４ａが圧接されるようになっている。
【００４０】
すなわち、上記導電性シェル１４は、前記プラグコネクタ（第１のコネクタ）１の絶縁ハウジング１１の外表面のほぼ全面を覆う金属部材から形成されているとともに、リセプタクルコネクタ（第２のコネクタ）２の絶縁ハウジング２１は、その外周側部分が金属製の導電性シェル２４により覆われた構成になされている。これらの導電性シェル１４，２４は、グランド回路を構成するものである。
【００４１】
より具体的には、上述したプラグコネクタ１の導電性シェル１４は、特に図４及び図５に示されているように、同軸ケーブルＳＣに両グランドバー（グランド部材）ＧＵ，ＧＤが半田接合された状態で、図６に示されているように、前記絶縁ハウジング１１に圧入された状態になされた上で、図７及び図８に示されているように、前記絶縁ハウジング１１の上方側から被せるようにして装着され、それによって絶縁ハウジング１１の上面側から前端側にかけての部位、及び長手方向両端部が当該導電性シェル１４によってほぼ完全に覆われるようになっている。
【００４２】
このプラグコネクタ１の導電性シェル１４における前端側壁面の下端縁には、後方側に向かって斜め下方に突出する接続突起片１４ａが、前記下端縁の３箇所に折曲形成されており、プラグコネクタ１がリセプタクルコネクタ２に嵌合されたときに、それらの各接続突起片１４ａが、上述したリセプタクルコネクタ２の導電性シェル２４に形成された接続突起片２３ｄに対して圧接されるようになっている。また、この導電性シェル１４の長手方向の両端面には係止用穴部１４ｂがそれぞれ形成されており、プラグコネクタ１がリセプタクルコネクタ２に嵌合されたときに、それらの両係止用穴部１４ｂに対して、後述するリセプタクルコネクタ２の導電性シェル２４に設けられた係止用突起２４ａが嵌合され、それによって両プラグコネクタ１，２どうしが嵌合された状態に維持されると同時にグランド回路が構成されるようになっている。（図１１参照）
【００４３】
さらに、上記プラグコネクタ１の導電性シェル１４の上面側には、多極配列方向である長手方向に沿って複数体のグランド接続舌片１４ｃが列状をなすようにして切欠き形成されている。それらの各グランド接続舌片１４ｃは、片持ちの板バネ状をなすように下方側に向かって切り起こされており、それらの各グランド接続舌片１４ｃが、上述したようにして導電性シェル１４の装着が行われたときに、前述した上部グランドバーＧＵの上面側に圧接される。
【００４４】
さらにまた、その導電性シェル１４の上面側後端縁部には、押圧突起部１４ｄが下方向に向かって突出するように湾曲形成されており、導電性シェル１４の装着が行われたときに、その押圧突起部１４ｄが上述した同軸ケーブルＳＣの絶縁被膜に対して上方側から圧接されるようになっている。（図９及び図１０参照）
【００４５】
一方、上述した第２のコネクタとしてのリセプタクルコネクタ２に設けられた導電性シェル２４は、絶縁ハウジング２１の外周を取り囲むように配置されており、特に図１及び図２に示されているように、当該導電性シェル２４の長手方向両端部分の各々には、外方側に向かって突出するように折り曲げにより形成されたホールドダウン２４ｂがそれぞれ設けられている。また、この導電性シェル２４の後端縁部には、長手方向（多極配列方向）に沿って適宜の間隔をなすように複数体のホールドダウン２４ｃが後方側に突出するように形成されているとともに、当該導電性シェル２４の前端縁部における長手方向両端部分の各々には、それぞれ１体のホールドダウン２４ｄが前方側に突出するように形成されている。そして、それらの各ホールドダウン２４ｂ，２４ｃ，２４ｄが、前記印刷配線基板ＳＢ上のグランド導電路（図示省略）に対して半田接合され、それによってグランド回路の電気的な接続が行われるとともに、リセプタクルコネクタ２の全体が強固に固定されるようになっている。
【００４６】
さらに、図９に示されるように上述した導電性シェル２４の後端側立壁部には、板バネ状をなすようにして後方側に向かって切り起こされた複数体のグランド接続舌片２４ｅが設けられている。これらの各グランド接続舌片２４ｅは、長手方向（多極配列方向）に沿って複数箇所にわたって設けられており、それらの各グランド接続舌片２４ｅが後方側に向かって最も突出した横断面略「へ」の字状をなす部分にグランド接点凸部２４ｆが形成されている。これらの各グランド接点凸部２４ｆは、前述した下部グランドバーＧＤの後端グランド接続板ＧＤａに設けられたグランド接点凹部ＧＤｂと対面可能となるように配置されており、プラグコネクタ１がリセプタクルコネクタ２に嵌合されたときに、上述したプラグコネクタ１側に取り付けられている下部グランドバーＧＤのグランド接点凹部ＧＤｂが、リセプタクルコネクタ２の導電性シェル２４におけるグランド接点凸部２４ｆに圧接され、それによってグランド回路が構成されるようになっている。
【００４７】
さらにまた、図１０及び図２に示されるように、上記導電性シェル２４の後端側立壁部の上端部分は、前記絶縁ハウジング２１の上端縁部を上方側から覆うように前方側に向かって横断面略Ｌ字状に折曲形成されているとともに、当該導電性シェル２４の後端側立壁部が延在している長手方向の略中央部分には、内方側に向かって巻き込むように横断面略逆Ｕ字形状をなすようにしてシェル内方延出部２４ｇが形成されている。この導電性シェル２４におけるシェル内方延出部２４ｇの先端部分は、コネクタ内部の下方側に向かって延出しており、プラグコネクタ１がリセプタクルコネクタ２に嵌合されたときに、当該シェル内方延出部２４ｇの前端側面に対して、上述したプラグコネクタ（第１のコネクタ）１の一対のグランド導電端子（グランドコンタクト）１３の後方折曲部１３ｂが接触され、それによってグランド回路の電気的な接続が行われるようになっている。なお、このときプラグコネクタ１は、リセプタクルコネクタ２の信号導電端子２２及びグランド導電端子２３からのバネ弾性力を前方側から後方側に向けて受け、結果としてグランド導電端子１３の後方折曲部１３ｂが、シェル内方延出部２４ｇの前端側面に対して、前方側から押し付けられるようにして確実に接触される。
【００４８】
このような構成の本実施形態によれば、同軸ケーブルＳＣのケーブル外部導体（シールド線）ＳＣｂが、従来の導電性シェル１４，２４に加えて両コネクタ１，２のグランド導電端子１３，２３を介して印刷配線基板ＳＢ側に接続されるため、グランド回路を構成する部材が、従来の導電性シェル１４，２４のみからグランド導電端子１３，２３を加えたものとなり、そのグランド導電端子１３，２３を加えた分だけ、グランド回路の抵抗値が低減されてシールド機能の向上が図られるようになっている。
【００４９】
また、本実施形態では、導電性シェル１４，２４及び上下グランドバーＧＵ，ＧＤが、第１及び第２のコネクタ１，２どうしが嵌合されたときに同軸ケーブルＳＣのケーブル中心導体ＳＣａを含む信号回路を覆うように配置されているとともに、第１のコネクタ１の導電性シェル１４が、ケーブル中心導体ＳＣａが接続される後端側とは反対側の前端側部分を覆うように配置され、かつ第１又は第２のコネクタ１，２の導電性シェル１４，２４には、第１及び第２のコネクタ１，２どうしを嵌合させたときに互いに圧接し合う接続突起片１４ａ，２３ｄが設けられている。
【００５０】
このような構成を有する本実施形態によれば、同軸ケーブルＳＣのケーブル中心導体（信号線）ＳＣａを含む信号回路に対する遮蔽作用をグランド部材ＧＵ，ＧＤ及び導電性シェル１４，２４により行うことが可能となるとともに、グランド回路における接続箇所が増大されることとなって、上述したシールド機能が更に向上されるようになっている。
【００５１】
さらに、本実施形態では、前記第２のコネクタ２のグランド導電端子２３は、当該第２のコネクタ２の導電性シェル２４と一体的に形成されていることから、上述したシールド機能の向上に加えて、グランド導電端子２３と導電性シェル２４との接続が容易かつ良好に行われ、印刷配線基板ＳＢ上のグランド導電路（グランドパターン）を含むグランド回路が良好に形成されるようになっている。
【００５２】
さらにまた、本実施形態では、前記第１のコネクタの信号導電端子１２とグランド導電端子１３とが略同一の形状又は略同一の材質から形成され、前記第２のコネクタの信号導電端子２２とグランド導電端子２３とが略同一の形状又は略同一の材質から形成されていることから、上述したシールド機能の向上に加えて、信号導電端子１２，２２とグランド導電端子１３，２３とを区別して取り扱う必要がなくなるため、組立効率及び部品管理が向上されるようになっている。
【００５３】
さらにまた、本実施形態では、前記第２のコネクタの導電性シェル２４に、前記第１及び第２のコネクタどうしが嵌合されたときに、前記第１のコネクタのグランド導電端子１３が接触するシェル内方延出部２４ｇが設けられていることから、グランド回路における接続箇所が増大されることとなって、シールド機能が向上されるようになっている。
【００５４】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５５】
例えば、上述した実施形態では、垂直嵌合型の電気コネクタに本実施形態を適用したものであるが、水平嵌合型の電気コネクタに対しても同様に適用することができる。
【００５６】
さらにまた本実施形態は、上述した各実施形態のような同軸ケーブル用コネクタに限定されることはなく、同軸ケーブルと絶縁ケーブルとが複数混合したタイプの電気コネクタや、フレキシブル配線基板等が連結される電気コネクタ等についても同様に適用することが可能である。
【産業上の利用可能性】
【００５７】
以上のように本実施形態は、各種電気機器に使用される多種多様な電気コネクタに対して広く適用することが可能である。
【図面の簡単な説明】
【００５８】
【図１】本実施形態の一実施形態にかかるプラグコネクタとリセプタクルコネクタとを嵌合しようとしている状態を表した後方側からの外観斜視説明図である。
【図２】図１に示されたリセプタクルコネクタを前方側から表した外観斜視説明図である。
【図３】図１及び図２に示されたプラグコネクタとリセプタクルコネクタとを嵌合した状態を表した後方側からの外観斜視説明図である。
【図４】図１及び図２に示された電気コネクタに用いられている同軸ケーブルの端末部に対して上下からグランド部材を装着しようとしている状態を表した後方側からの外観斜視説明図である。
【図５】図４に示された同軸ケーブルに対するグランド部材の装着後の状態を表した後方側からの外観斜視説明図である。
【図６】図１に示されたプラグコネクタから導電性シェルを取り外した状態を表した後方側からの外観斜視説明図である。
【図７】図６に示された状態に対して導電性シェルを装着した状態のプラグコネクタを表した後方側からの外観斜視説明図である。
【図８】図６に示された状態に対して導電性シェルを装着した状態のプラグコネクタを表した底面側からの外観斜視説明図である。
【図９】図３中の IX−IX 線に沿った横断面説明図である。
【図１０】図３中の X−X 線に沿った横断面説明図である。
【図１１】図３中の XI−XI 線に沿った横断面説明図である。
【符号の説明】
【００５９】
１  プラグコネクタ（第１のコネクタ１）
２  リセプタクルコネクタ（第２のコネクタ２）
ＳＣ  同軸ケーブル
ＳＣａ  ケーブル中心導体（ケーブル中心導体ＳＣａ）
ＳＣｂ  ケーブル外部導体（シールド線）
ＳＢ  印刷配線基板
ＧＵ  上部グランドバー（グランド部材）
ＧＤ  下部グランドバー（グランド部材）
ＧＵａ  グランド接続舌片
ＧＤａ  後端グランド接続板
ＧＤｂ  グランド接点凹部
ＧＤｃ  仕切ガイド板
ＧＤｄ  係止片
ＧＤｅ  両端ガイド板
１１，２１  絶縁ハウジング
１２，２２  信号導電端子（シグナルコンタクト）
１２ａ  前方平坦部
１２ｂ  後方折曲部
１２ｃ  信号接点部
１３  グランド導電端子（グランドコンタクト）
１３ａ  前方平坦部
１３ｂ  後方折曲部
１３ｃ  グランド接点部
１４  導電性シェル
１４ａ  接続突起片
１４ｂ  係止用穴部
１４ｃ  グランド接続舌片
１４ｄ  押圧突起部
２２  信号導電端子（シグナルコンタクト）
２２ａ  前方半田接合部
２２ｂ  後端立壁部
２２ｃ  信号接点凸部
２３  グランド導電端子（グランドコンタクト）
２３ａ  前方半田接合部
２３ｂ  後端立壁部
２３ｃ  グランド接点凸部
２３ｄ  接続突起片
２４  導電性シェル
２４ａ  係止用突起
２４ｂ，２４ｃ，２４ｄ  ホールドダウン
２４ｅ  グランド接続舌片
２４ｆ  グランド接点凸部
２４ｇ  シェル内方延出部
【図２】
2008147020.tif 000003
【図１】
2008147020.tif 000004
【図３】
2008147020.tif 000005
【図４】
2008147020.tif 000006
【図５】
2008147020.tif 000007
【図６】
2008147020.tif 000008
【図７】
2008147020.tif 000009
【図８】
2008147020.tif 000010
【図９】
2008147020.tif 000011
【図１０】
2008147020.tif 000012
【図１１】
2008147020.tif 000013